(57)【要約】【課題】エリアコントロール処理を行う部の後段にオーバードライブ部を配置することにより、動画特性、コントラスト及び消費電力に優れ、また意図しない擬似輪郭や動画ぼやけの発生を防止する。【解決手段】ゲイン算出部１５１は、液晶パネルの領域毎にそれぞれ供給される映像信号毎にゲインＧmax0／Ｇmax1を算出する。Ｇmax1は領域毎に供給される映像信号の１フレーム期間内の最大階調、Ｇmax0は映像信号のビット数で定まる最大階調である。部乗算器１５２は、上記のゲインと、フレーム周波数変換部１４からのフレーム周波数変換後の映像信号とを、映像信号の領域毎に乗算して、エリアコントロール処理された映像信号ｆａを生成する。オーバードライブ部１７は、エリアコントロール処理された映像信号ｆａを、映像信号ｆａを1フレーム期間遅延した映像信号ｆｂを用いて強調する。【選択図】図１
2010197548.tif 000002
【特許請求の範囲】
【請求項１】
映像信号を表示する液晶パネルと、
前記液晶パネルの背面側に配置され、複数の領域に区画されて前記複数の領域のそれぞれに前記液晶パネルに照射する光を発光する光源を備えるバックライト装置と、
第１のフレーム周波数の第１の映像信号を１フレーム分遅延させて第２の映像信号を生成する遅延部と、
前記第１の映像信号と前記第２の映像信号とを用いて、前記第１の映像信号のフレーム間に内挿するための１または複数の内挿映像信号を生成する内挿映像信号生成部と、
前記第１の映像信号の隣接する実フレーム間に前記１または複数の内挿映像信号を内挿して、前記第１のフレーム周波数より高い第２のフレーム周波数の第３の映像信号を生成するフレーム周波数変換部と、
前記バックライト装置の複数の領域に対応した前記液晶パネルの複数の領域それぞれに表示する領域毎に前記第３の映像信号の１フレーム期間内の最大階調と、映像信号のビット数で定まる最大階調との比に応じたゲインを前記領域毎に算出するゲイン算出部と、
前記第３の映像信号に前記ゲインを乗じて、ゲインが乗算された第３の映像信号を生成する乗算器と、
前記ゲインが乗算された第３の映像信号を１フレーム期間遅延した遅延映像信号を用いて、前記ゲインが乗算された第３の映像信号を時間軸方向に強調する処理を行うオーバードライブ部と
を有することを特徴とする画像表示装置。
【請求項２】
映像信号を表示する液晶表示パネルと、
前記液晶パネルの背面側に配置され、前記複数の領域に区画されて前記複数の領域のそれぞれに前記液晶パネルに照射する光を発光する光源を備えるバックライト装置と、
第１のフレーム周波数の第１の映像信号を１フレーム分遅延させて第２の映像信号を生成する遅延部と、
前記第１の映像信号と前記第２の映像信号とを用いて、前記第１の映像信号のフレーム間に内挿するための１または複数の内挿映像信号を生成する内挿映像信号生成部と、
前記バックライト装置の複数の領域に対応した前記液晶パネルの複数の領域それぞれに表示する領域毎に前記第１の映像信号の１フレーム期間内の最大階調と、映像信号のビット数で定まる最大階調との比に応じたゲインを前記領域毎に算出するゲイン算出部と、
前記第１の映像信号、前記内挿映像信号及び前記第２の映像信号それぞれに前記ゲインを乗じて、ゲインが乗算された第１の映像信号、前記内挿映像信号及び前記第２の映像信号を生成する乗算器と、
前記ゲインが乗算された第１の映像信号及び内挿映像信号を、時系列順における隣の前記ゲインが乗算された前記内挿映像信号または前記第２の映像信号を用いて時間軸方向に強調する処理を行って強調処理後の第１の映像信号及び内挿映像信号を生成するオーバードライブ部と、
前記オーバードライブ部より出力される強調処理後の第１の映像信号の隣接する実フレーム間に、前記オーバードライブ部より出力される強調処理後の１または複数の内挿映像信号を内挿して、前記第１のフレーム周波数より高い第２のフレーム周波数の映像信号を生成するフレーム周波数変換部と
を有することを特徴とする画像表示装置。
【請求項３】
前記バックライト装置における前記領域毎に設けられた光源を、前記ゲイン算出部により算出された前記領域毎の前記ゲインの逆数の値に応じた光量の光を射出するように制御する制御部を更に有することを特徴とする請求項１又は２記載の画像表示装置。
【発明の詳細な説明】
【技術分野】
【０００１】
本発明は画像表示装置に係り、特にバックライトの発光輝度を映像信号の明るさに応じて制御するエリアコントロールと、動画ぼけを低減するためのオーバードライブとの両方の機能を有し、液晶表示素子により画像を表示する画像表示装置に関する。
【背景技術】
【０００２】
液晶表示素子により画像を表示する画像表示装置においては、動画特性の向上のためなどの理由により入力映像信号のフレーム周波数よりも高いフレーム周波数に変換して表示することが提案されている。このフレーム周波数変換方法に加えて、一般にオーバードライブと呼ばれる、時間方向に隣り合うフレームの画素毎の映像信号のレベル差により決められた強調係数を映像信号にかける手法を適用すると、動画特性がより良くなる。
【０００３】
しかし、フレーム周波数変換方法とオーバードライブとを併せて使用した画像表示装置は、フレーム周波数が高くなるとそれだけオーバードライブ処理に負担がかかることになる。また、上記の画像表示装置は、フレーム周波数を高速化することで、オーバードライブ処理のため少なくとも２フレーム間の比較を行うために用いるフレーム画像を読み書きするメモリとのアクセス速度が増加する。
【０００４】
この間題を解決するため、フレーム周波数を高速化する前の映像信号処理部にオーバードライブ部を組み込むことによって、フレーム周波数高速化を施していない装置と信号処理やメモリとのアクセス速度を同じにするようにした画像表示装置が従来知られている（例えば、特許文献１参照）。また、この従来の画像表示装置によれば、フレーム周波数高速化の後にオーバードライブを行う場合に用意していたメモリも、動き情報の検出や、増加フレームを生成するためのフレームデータを使うことにより削減することもできる。
【０００５】
一方、動画特性改善とは別に、液晶表示装置等のバックライトを必要とする画像表示装置におけるコントラストと消費電力改善方法として、静止画や動画像の各フレームをある大きさのエリアに分割し、エリア毎の特徴によって、バックライトと映像信号レベルとを個別制御して表示する画像表示装置も従来提案されている（例えば、特許文献２参照）。このバックライトを用いた画像表示装置による改善方法は、エリアコントロールなどと呼ばれている。
【先行技術文献】
【特許文献】
【０００６】
【特許文献１】特開２００６−３３７４４８号公報
【特許文献２】特開２００７−１３３０５１号公報
【発明の概要】
【発明が解決しようとする課題】
【０００７】
しかしながら、特許文献１記載の従来の画像表示装置では、オーバードライブ部（時間軸強調回路）をフレーム周波数変換部（時系列変換メモリ）の前段に配置しているため、その後段に映像信号レベルを大きく変化させる回路、例えば特許文献２記載の映像信号のゲインを調整する映像信号処理部やバックライト装置の光量を調整するバックライト輝度制御部を配置すると、原画像の信号レベル差に最適なオーバードライブによる強調がエリアコントロールによって崩れ、オーバードライブによる強調が過剰になったり、不足する場合が発生し、動画応答や画質に影響を与えてしまう。なお、以後の説明では、映像信号処理部での映像信号のゲイン調整及びバックライト輝度制御部でのバックライト装置の光量調整を併せて、エリアコントロールという。
【０００８】
オーバードライブ処理は、特に液晶表示装置のように、階調変化の度合いによって液晶表示素子の応答速度が異なる場合、強調係数も異なる。そのため、オーバードライブ部で最適な強調係数をかけられた映像信号に、エリアコントロール部での処理を施してしまうと、強調過剰や、強調不足が発生する。その結果、特に自動車など高速に移動する被写体を撮像した画像を表示する場合、強調過多により、表示される画像に被写体の輪郭に本来存在しない擬似輪郭が発生したり、強調不足によるぼやけが発生する。
【０００９】
本発明は以上の点に鑑みなされたもので、エリアコントロール処理の後段にオーバードライブ部を配置することにより、動画特性、コントラスト及び消費電力に優れ、また意図しない擬似輪郭や動画ぼやけの発生を防止し得る画像表示装置を提供することを目的とする。
【課題を解決するための手段】
【００１０】
上記の目的を達成するため、第１の発明は、映像信号を表示する液晶パネルと、液晶パネルの背面側に配置され、複数の領域に区画されて複数の領域のそれぞれに液晶パネルに照射する光を発光する光源を備えるバックライト装置と、第１のフレーム周波数の第１の映像信号を１フレーム分遅延させて第２の映像信号を生成する遅延部と、第１の映像信号と第２の映像信号とを用いて、第１の映像信号のフレーム間に内挿するための１または複数の内挿映像信号を生成する内挿映像信号生成部と、第１の映像信号の隣接する実フレーム間に１または複数の内挿映像信号を内挿して、第１のフレーム周波数より高い第２のフレーム周波数の第３の映像信号を生成するフレーム周波数変換部とバックライト装置の複数の領域に対応した液晶パネルの複数の領域それぞれに表示する領域毎に第３の映像信号の１フレーム期間内の最大階調と、映像信号のビット数で定まる最大階調との比に応じたゲインを領域毎に算出するゲイン算出部と、第３の映像信号にゲインを乗じて、ゲインが乗算された第３の映像信号を生成する乗算器と、ゲインが乗算された第３の映像信号を１フレーム期間遅延した遅延映像信号を用いて、ゲインが乗算された第３の映像信号を時間軸方向に強調する処理を行うオーバードライブ部とを有することを特徴とする。
【００１１】
また、上記の目的を達成するため、第２の発明は、映像信号を表示する液晶表示パネルと、液晶パネルの背面側に配置され、複数の領域に区画されて複数の領域のそれぞれに液晶パネルに照射する光を発光する光源を備えるバックライト装置と、第１のフレーム周波数の第１の映像信号を１フレーム分遅延させて第２の映像信号を生成する遅延部と、第１の映像信号と第２の映像信号とを用いて、第１の映像信号のフレーム間に内挿するための１または複数の内挿映像信号を生成する内挿映像信号生成部と、バックライト装置の複数の領域に対応した液晶パネルの複数の領域それぞれに表示する領域毎に第１の映像信号の１フレーム期間内の最大階調と、映像信号のビット数で定まる最大階調との比に応じたゲインを領域毎に算出するゲイン算出部と、第１の映像信号、内挿映像信号及び第２の映像信号それぞれにゲインを乗じて、ゲインが乗算された第１の映像信号、内挿映像信号及び第２の映像信号を生成する乗算器と、ゲインが乗算された第１の映像信号及び内挿映像信号を、時系列順における隣のゲインが乗算された内挿映像信号または第２の映像信号を用いて時間軸方向に強調する処理を行って強調処理後の第１の映像信号及び内挿映像信号を生成するオーバードライブ部と、オーバードライブ部より出力される強調処理後の第１の映像信号の隣接する実フレーム間に、オーバードライブ部より出力される強調処理後の１または複数の内挿映像信号を内挿して、第１のフレーム周波数より高い第２のフレーム周波数の映像信号を生成するフレーム周波数変換部とを有することを特徴とする。
【００１２】
また、上記の目的を達成するため、第３の発明は、第１又は第２の発明におけるバックライト装置における領域毎に設けられた光源を、ゲイン算出部により算出された領域毎のゲインの逆数の値に応じた光量の光を射出するように制御する制御部を更に有することを特徴とする。
【発明の効果】
【００１３】
本発明によれば、エリアコントロール処理を行うゲインとの乗算器の後段に、入力映像信号の時間軸方向の高域成分を強調する-オーバードライブ処理する回路部を配置することにより、動画特性、コントラスト及び消費電力を向上することができると共に、意図しない擬似輪郭や動画ぼやけの発生を防止することができる。
【図面の簡単な説明】
【００１４】
【図１】本発明の画像表示装置の第１の実施の形態のブロック図である。
【図２】図１に示す本発明装置の動作説明用タイミングチャートである。
【図３】図１中の内挿映像信号生成部における動き補償補間処理の説明図である。
【図４】フレーム周波数を２倍に変換することによる効果を示す図である。
【図５】バックライト装置の一例の構成図である。
【図６】図１に示す本発明装置のエリアコントロールとオーバードライブの効果の説明図である。
【図７】本発明の画像表示装置の第２の実施の形態のブロック図である。
【図８】図７に示す本発明装置の動作説明用タイミングチャートである。
【図９】図７に示す本発明装置の各部の効果の説明図である。
【発明を実施するための形態】
【００１５】
次に、本発明の各実施の形態について図面を参照して詳細に説明する。
【００１６】
（第１の実施の形態）
図１は、本発明になる画像表示装置の第１の実施の形態のブロック図を示す。同図において、本実施の形態の画像表示装置１０は、入力される映像信号ｆ０を１フレーム遅延するフレームメモリ１１（遅延部）と、入力映像信号ｆ０の動きベクトルＶを検出する動きベクトル検出部１２と、内挿映像信号ｆ０.５を生成する内挿映像信号生成部１３と、入力映像信号ｆ０のフレーム周波数を変換するフレーム周波数変換部１４と、フレーム周波数変換部１４の出力信号に対してエリアコントロールを行うエリアコントロール部１５と、エリアコントロール部の出力信号ｆａを１フレーム期間遅延するフレームメモリ（遅延部）１６と、エリアコントロール部１５の出力信号ｆａに対してオーバードライブ処理を行うオーバードライブ部１７とを有する。
【００１７】
この画像表示装置１０は、部マトリクス状に配列された複数の画素を有し、電気信号を画素毎に所定時間保持して表示するアクティブマトリクス型の液晶パネル（図示せず）に、オーバードライブ部１７から出力された映像信号を供給して画像を表示させる液晶表示装置である。上記の画素は液晶表示素子を含んで構成されている。また、上記の液晶パネルの背面には、後述するように複数の分割領域の各々に液晶パネルに光を照射する光源が配置されたバックライト装置が設けられている。
【００１８】
次に、本実施の形態の動作について、図２のタイミングチャート等を併せ参照して説明する。フレームメモリ１１は、図２（Ａ）にフレーム単位で模式的に示す入力映像信号ｆ０を格納した後、同図（Ｂ）に模式的に示す１フレーム期間遅延した遅延映像信号ｆ１を出力し、動きベクトル検出部１２と内挿映像信号生成部１３とにそれぞれ供給する。なお、図２において、模式的に示すフレーム内の数字はフレーム番号を示す。
【００１９】
動きベクトル検出部１２は、入力映像信号ｆ０と遅延映像信号ｆ１とから、例えば公知のマッチング法などを用いてフレーム間の動きベクトルＶを検出し、その動きベクトルＶを内挿映像信号生成部１３に供給する。
【００２０】
内挿映像信号生成部１３は、動きベクトルＶを参照して動き補償補間を行って、入力映像信号ｆ０と遅延映像信号ｆ１とから、図２（Ｃ）に模式的に示す内挿映像信号ｆ０.５を生成して出力する。内挿映像信号とは、後段のフレーム周波数変換部１４において、フレーム周波数を２倍に変換する際に、元々映像信号が存在しない変換前のフレーム周波数におけるフレーム間の中間に挿入すべき補間フレームのことである。従って、図２（Ｃ）において、例えば、フレーム番号「０.５」の内挿映像信号ｆ０.５は、同図（Ａ）に示すフレーム番号「１」の入力映像信号ｆ０と、同図（Ｂ）に示すフレーム番号「０」の遅延映像信号ｆ１との間に内挿される補間フレームである。
【００２１】
ここで、内挿映像信号生成部１３における動き補償補間処理について、詳細に説明する。内挿映像信号生成部１３における動き補償補間は、フレーム周波数の変換比率が２倍の場合に、図３に示すようなベクトル移動を行う。すなわち、図３（Ａ）は内挿映像信号生成部１３の入力映像信号ｆ０を示し、そのフレーム番号をＦＲ１、ＦＲ２、ＦＲ３で示す。また、図３（Ｂ）は内挿映像信号生成部１３で生成される内挿映像信号ｆ０.５を示し、そのフレーム番号をｆｒ１２、ｆｒ２３で示す。なお、図３（Ｂ）は、説明の便宜上、上記のフレーム番号ＦＲ１、ＦＲ２、ＦＲ３の各フレームを、時間軸上で存在する位置に点線で示している。フレーム番号ｆｒ１２のフレームは、ベクトル移動を行ってフレーム番号ＦＲ１とＦＲ２の各フレームの間に挿入され、フレーム番号ｆｒ２３のフレームは、ベクトル移動を行ってフレーム番号ＦＲ２とＦＲ３の各フレームの間に挿入される。
【００２２】
図３（Ａ）、（Ｂ）の右側の図は、フレーム番号ＦＲ１〜ＦＲ３の各フレームと、フレーム番号ｆｒ１２〜ｆｒ２３の各フレームによる物体Ｏの移動の様子を示す。図３（Ａ）において、物体Ｏはフレーム番号ＦＲ１のフレーム位置からフレーム番号ＦＲ２のフレーム位置へと動きベクトルｖ１により移動し、フレーム番号ＦＲ２のフレーム位置からフレーム番号ＦＲ３のフレーム位置へと動きベクトルｖ２により移動する。図３（Ｂ）におけるフレーム番号ＦＲ１〜ＦＲ３の各フレームでの物体Ｏの位置は、同図（Ａ）におけるフレーム番号ＦＲ１〜ＦＲ３の各フレームでの物体Ｏの位置と同じである。フレーム番号ｆｒ１２のフレームは、フレーム番号ＦＲ１のフレームをｖ１／２だけ移動すればよい。同様に、フレーム番号ｆｒ２３のフレームは、フレーム番号ＦＲ２のフレームをｖ１／２だけ移動すればよい。
【００２３】
なお、図３に示す例では、フレーム番号ｆｒ１２のフレームは、フレーム番号ＦＲ１のフレームのみを、フレーム番号ｆｒ２３のフレームは、フレーム番号ＦＲ２のフレームのみを、それぞれｖ１／２だけ移動しているが、前後のフレームを混合してもよいし、フレーム番号ＦＲ１、ＦＲ３のフレームを合成してもよい。
【００２４】
このように、出力映像信号のフレームを生成する際に、１つのフレームだけでなく複数のフレームを用いて内挿を行うことにより、ノイズを低減することができる。
【００２５】
再び図１に戻って説明する。フレーム周波数変換部１４は、入力映像信号ｆ０と内挿映像信号ｆ０.５とをそれぞれ書き込んだ後、書き込み周波数の２倍の周波数すなわち、入力映像信号ｆ０の１／２フレーム期間毎に、ｆ０.５、ｆ０の順で交互に読み出す。これにより、フレーム周波数変換部１４は、図２（Ｄ）に模式的に示すように、入力映像信号はフレーム周波数が２倍に変換した映像信号を出力する。
【００２６】
図４は、フレーム周波数を２倍に変換することによる効果を示す。図４（Ａ）は、黒、白、黒と並んで構成される画像が水平方向に平行移動した場合のフレーム周波数６０Ｈｚのフレーム画像の表示状態を示す。また、図４（Ｂ）は、黒、白、黒と並んで構成される画像が水平方向に平行移動した場合のフレーム周波数１２０Ｈｚのフレーム画像の表示状態を示す。
【００２７】
あるフレームから次のフレームに移って、黒、白、黒と並んで構成される画像が水平方向に移動する際、白から黒、黒から白へと切り替わって表示される部分において、人間の目には画像が積分されて見えるため、図４（Ａ）、（Ｂ）にそれぞれ示すように、黒から白へ、及び白から黒へとなだらかに切り替わるように見える。従って、図４（Ａ）、（Ｂ）にそれぞれ示す幅の動画ぼやけが発生する。この動画ぼやけの幅は、図４（Ａ）に示すフレーム周波数６０Ｈｚの場合よりも、同図（Ｂ）に示すフレーム周波数１２０Ｈｚの方が小さくて済む。
【００２８】
再び図１に戻って説明する。エリアコントロール部１５は、フレーム周波数変換部１４によりフレーム周波数が２倍に変換された映像信号が入力される。このエリアコントロール部１５は、フレーム周波数変換部１４からの入力映像信号からゲインＧＶ１を算出するゲイン算出部１５１と、フレーム周波数変換部１４からの入力映像信号とゲイン算出部１５１で算出したゲインＧＶ１とを乗算する乗算器１５２とを有する。
【００２９】
ここで、本実施の形態におけるエリアコントロールとは、液晶パネル及びバックライト装置を複数の領域に分割し、それぞれの分割領域毎にバックライトの発光輝度を映像信号の明るさに応じて個別に制御する方法である。周知のように、バックライト装置は、液晶パネルの背面に配置される。液晶パネルは、液晶パネルに設けられている複数の画素（液晶表示素子）のそれぞれに対する電圧の印加状態が制御されることで、複数の画素のうちバックライト装置からの光を透過する状態に制御された画素を通して画像を表示する。そこで、まず、本実施の形態におけるバックライト装置の一例の構成について説明する。
【００３０】
図５は、バックライト装置の一例の構成図を示す。図５（Ａ）はバックライト装置２０の上面図、同図（Ｂ）はバックライト装置２０を垂直方向に切断した断面図、同図（Ｃ）は、バックライト装置２０を水平方向に切断した断面図を示す。
【００３１】
図５（Ａ）〜（Ｃ）に示すバックライト装置２０は、その前面に配置される液晶パネルの全領域を水平方向と垂直方向の各方向にそれぞれ４分割し、全体として１６個の分割領域に分割したときのバックライト装置である。
【００３２】
図５（Ａ）〜（Ｃ）において、バックライト装置２０は、筐体２１が水平方向と垂直方向の区画壁２３により１６個の分割領域に区画されており、各分割領域のそれぞれには光源２２が配置されている。光源２２としては、例えば発光ダイオード（ＬＥＤ）が用いられるが、冷陰極管（CCFL:Cold Cathode Fluorescent Lamp）や外部電極蛍光ランプ(EEFL)などでもよい。
【００３３】
光源２２は、その光源２２から出力される光が、筐体２１の上部に配置された拡散板２４に照射されて拡散されるが、その光の一部は光源２２が配置されている分割領域を区画している区画壁２３の上端と拡散板２４との間の空間を通して隣接する周囲の分割領域に若干漏れ出るので、その漏れ出る光を考慮した光量制御が行われる。なお、拡散板２４の上面には例えば３枚の光学シート類２５が装着されている。光学シート類２５は、光を拡散する拡散シート、プリズムシート、ＤＢＥＦ(Dual Brightness Enhancement Film)と称されている輝度上昇フィルム等の複数のシートを組み合わせたものである。
【００３４】
前述したように、液晶パネルは、バックライト装置２０が１６個の分割領域に分割されているのに対応して、水平方向及び垂直方向にそれぞれ４つの領域ずつ計１６個の分割領域に分割されている。ただし、この液晶パネルの１６個の分割領域の分割は、物理的に分離して区分けしているのではなく、液晶パネル上に１６個の分割領域が設定されているということである。そして、液晶パネルに供給する映像信号は、液晶パネルに設定した１６個の各分割領域のそれぞれに対応して、その分割領域に表示する分割領域毎の映像信号として処理される。液晶パネルに設定した１６個の分割領域は、それぞれバックライト装置２０の１６個の分割領域に配置された光源２２からのバックライトの明るさが分割領域毎に個別に制御される。
【００３５】
なお、液晶パネル及びバックライト装置の領域の分割の仕方は、図５のような２次元的な分割方法に限定されるものではなく、水平方向に複数に分割するなどの他の分割方法でもよい。
【００３６】
再び図１に戻って説明する。エリアコントロール部１５内のゲイン算出部１５１は、前述したように、液晶パネルが例えば１６個の分割領域に分割されているので、液晶パネルの各分割領域にそれぞれ供給される映像信号毎にゲインを算出する。このゲイン算出部１５１のゲインＧＶ１の算出は、各分割領域に供給される映像信号の１フレーム期間内の最大階調をＧmax1とし、映像信号のビット数で定まる最大階調をＧmax0とすると、それらの比Ｇmax0／Ｇmax1を各分割領域に供給される映像信号に乗じるゲインＧＶ１として算出する。
【００３７】
上記のゲインの逆数Ｇmax1／Ｇmax0は、図示しないバックライト輝度制御部において、バックライトの輝度を制御する際に用いられる。例えば、バックライト装置２０の各分割領域の光源２２の最大輝度に上記のゲインの逆数Ｇmax1／Ｇmax0を乗じた値を第１の発光輝度とし、この第１の発光輝度を得るためにバックライト装置２０における各分割領域の光源２２がそれぞれ単独で発光すべき光の輝度を第２の発光輝度としたとき、この第２の発光輝度を、上記第１の発光輝度に各分割領域の光源２２から射出された光が自己の分割領域以外の他の分割領域に漏れ出る光量に基づいた係数を乗じる演算式を用いて求める。そして、バックライト輝度制御部は、バックライト装置２０における複数の分割領域のそれぞれで、自己の分割領域の光源２２から出射された液晶パネルに照射される光の発光量を上記の第２の発光輝度に基づいて算出した発光量で発光させる。  乗算器１５２は、ゲイン算出部１５１により算出された上記のゲインＧＶ１と、フレーム周波数変換部１４から出力されたフレーム周波数変換後の映像信号とを、上記の各分割領域それぞれで乗算して、エリアコントロール処理された映像信号ｆaとして出力し、フレームメモリ１６及びオーバードライブ部１７へそれぞれ供給する。図２（Ｅ）は、このエリアコントロール処理された映像信号を模式的に示す。ここで、図２（Ｅ）中、例えばフレーム番号「０.５ａｃ」は、フレーム周波数変換部１４から出力された図２（Ｄ）に示すフレーム番号「０.５」の映像信号に対して、エリアコントロール処理された映像信号であることを示す。
【００３８】
フレームメモリ１６は、上記のエリアコントロール処理された映像信号を１フレーム分格納した後出力することで、図２（Ｆ）に模式的に示すように、エリアコントロール部１５においてエリアコントロール処理された映像信号を１フレーム期間遅延した遅延映像信号ｆbを出力する。
【００３９】
オーバードライブ部１７は、入力映像信号の高域成分を時間軸方向に強調するフィルタであって、入力される２信号ｆa、ｆbを用いて、次式にて表される映像信号ｆcを出力する。
【００４０】
ｆc＝ｆa＋k（ｆa−ｆb）      （１）
上式中、部ｋは利得係数である。利得係数ｋは、映像信号を強調する度合いを決定する係数で、液晶表示素子の応答特性に応じて設定される。利得係数ｋは、応答が速く残像が少ない場合には小さく設定され、応答が遅く残像が多い場合には大きく設定される。
【００４１】
図２（Ｇ）は、オーバードライブ部１７から出力される映像信号ｆcを模式的に示す。図２（Ｇ）中、例えばフレーム番号「０.５ａｃ_ｏｄ」は、エリアコントロール部１５から出力された図２（Ｅ）に示すフレーム番号「０.５ａｃ」の映像信号ｆａに対して、オーバードライブ処理された映像信号であることを示す。このオーバードライブ部１７に入力される映像信号ｆa及びｆbはエリアコントロール処理後の映像信号であるため、オーバードライブ部１７は時間軸強調をしても、意図しない擬似輪郭や動画ぼやけの発生が殆どない映像信号ｆcを出力することができる。この映像信号ｆcは図示しない液晶パネルの画素（液晶表示素子）に供給される。
【００４２】
次に、本実施の形態のエリアコントロールとオーバードライブの効果について図６と共に説明する。図６（Ａ）は、黒画像のフレームから白画像のフレームに変化する映像信号が入力されたときの、フレーム周波数変換部１４の出力映像信号の電圧の変化と、その映像信号の電圧の変化に対応した液晶表示素子の応答特性（透過率対時間特性）を示す。フレーム周波数変換部１４から出力される映像信号の電圧が図６（Ａ）にIで示すようにステップ状に上昇しても、この映像信号が入力された場合の液晶表示素子の応答特性はIIに示すように、なだらかに上昇する。
【００４３】
図６（Ｂ）は、図６（Ａ）にIで示したステップ状に上昇する映像信号が入力されたときの、エリアコントール部１５の出力映像信号の電圧の変化と、その映像信号の電圧の変化に対応した液晶表示素子の応答特性（透過率対時間特性）を示す。エリアコントロール部１５から出力される映像信号の電圧は図６（Ｂ）にIIIで示すように、その入力映像信号と同様にステップ状に上昇する。ただし、図６（Ｂ）に楕円IVaで囲んだ部分に示すように、エリアコントロール処理により映像信号にはゲインＧＶ１が乗算されているため、黒画像のフレームの映像信号の電圧が持ち上げられている。
【００４４】
このため、この映像信号が入力された場合の液晶表示素子の応答特性は図６（Ｂ）にIVで示すように、黒画像のフレームの期間は高い透過率を示し、その後のステップ状に上昇する変化に対してはなだらかに上昇する。なお、エリアコントロール処理により黒画像のフレームの映像信号の電圧が持ち上げられるのに対応して、バックライトの輝度を下げるバックライト装置の制御が行われるので、画像表示装置の消費電力の低減と画像のコントラストの上昇とが実現される。
【００４５】
図６（Ｃ）は、図６（Ｂ）にIIIで示したステップ状に上昇する映像信号が入力されたときの、オーバードライブ部１７の出力映像信号の電圧の変化と、その映像信号の電圧の変化に対応した液晶表示素子の応答特性（透過率対時間特性）を示す。オーバードライブ部１５から出力される映像信号の電圧は図６（Ｃ）にVで示すように、その入力映像信号のステップ状に上昇する部分（高域成分）が、オーバードライブ部１７の時間軸方向の強調処理によって、入力映像信号よりも大きく急峻に立ち上がった後、所定時間、入力映像信号よりも大レベルを保持する変化部分を有する。これにより、このオーバードライブ部１７から出力された映像信号が入力された場合の液晶表示素子の応答特性は図６（Ｃ）にVIで示すように、オーバードライブ部１７による時間軸方向の強調処理を行わないときの応答特性IV(これは、図６（Ｂ）の応答特性IVと同じ)よりも高速化される。この結果、液晶表示素子の表示画像に残像の発生を抑制することができる。
【００４６】
なお、第１の実施の形態では、入力映像信号ｆ０に対して内挿映像信号ｆ０．５を１つ生成し、入力映像信号ｆ０のフレーム周波数を２倍に変換して表示する構成を説明したがこれに限定されるものではない。すなわち、入力映像信号ｆ０のフレーム周波数をｍ倍に変換するため、入力映像信号ｆ０に対して内挿映像信号を（ｍ−１）個生成する内挿映像信号１３を有する構成とするなど、適宜変更可能である。    （第２の実施の形態）
次に、本発明の第２の実施の形態について説明する。図７は、本発明の画像表示装置の第２の実施の形態のブロック図を示す。同図中、図１と同一構成部分には同一符号を付し、その説明を適宜省略する。図７に示すように、本実施の形態の画像表示装置３０は、フレームメモリ１１、動きベクトル検出部１２、内挿映像信号生成部１３、ゲイン算出部３１、乗算器３２、３３及び３４、オーバードライブ３５及び３６、フレーム周波数変換部３７を有する。また、エリアコントロール部３８は、ゲイン算出部３１、乗算器３２、３３及び３４を有する。
【００４７】
この画像表示装置３０は、部マトリクス状に配列された複数の画素を有し、電気信号を各画素に所定時間保持して表示するアクティブマトリクス型の液晶パネル（図示せず）に、フレーム周波数変換部３７から出力された映像信号を供給して画像を表示させる液晶表示装置である。上記の画素は液晶表示素子を含んで構成されている。また、上記の液晶パネルの背面には、前述したように複数の分割領域の各々に液晶パネルに光を照射する光源が配置されたバックライト装置が設けられている。
【００４８】
前述した第１の実施の形態の画像表示装置１０は、部規模が比較的大きなフレームメモリが１１と１６の２部必要であるため装置全体の規模も比較的大きい。また、画像表示装置１０は、オーバードライブ部１７がフレーム周波数変換部１４によりフレーム周波数変換後の高周波数の映像信号に対してオーバードライブ処理を行うために、オーバードライブ処理に負担がかかり、オーバードライブ処理のため少なくとも２フレーム間の比較を行うために用いるフレーム画像を読み書きするメモリとのアクセス速度が増加する。本実施の形態の画像表示装置３０は、上記の画像表示装置１０よりも回路規模が小さく、オーバードライブ処理の負担を低減したものである。
【００４９】
図７において、ゲイン算出部３１は、入力される映像信号ｆ０から液晶パネルの各分割領域にそれぞれ供給される映像信号毎にゲインＧＶ１を算出する。乗算器３２は、入力される映像信号ｆ０と、ゲイン算出部３１で算出されたゲインＧＶ１とを乗算して、映像信号ｆ０’を出力する。乗算器３３は、内挿映像信号生成部１３から出力された内挿映像信号ｆ０.５と、ゲイン算出部３１で算出されたゲインＧＶ１とを乗算して、映像信号ｆ０．５’を出力する。乗算器３４は、フレームメモリ１１から出力された入力映像信号ｆ０を１フレーム期間遅延した映像信号ｆ１と、ゲイン算出部３１で算出されたゲインＧＶ１とを乗算して、映像信号ｆ１’を出力する。
【００５０】
オーバードライブ部３５及び３６は、それぞれ２入力信号を用いて前述した（１）式で表される信号を生成する。すなわち、オーバードライブ部３５は、乗算器３２から出力された映像信号ｆ０’を、乗算器３３から出力された信号ｆ０.５’に基づいてオーバードライブ処理を行い、映像信号ｆ０”を出力する。もう一つのオーバードライブ部３６は、乗算器３３から出力された映像信号ｆ０．５’を、乗算器３４から出力された信号ｆ１’に基づいて、オーバードライブ処理を行い、映像信号ｆ０．５”を出力する。フレーム周波数変換部３７は、上記の映像信号ｆ０”と映像信号ｆ０.５”とを入力として受け、映像信号ｆ０.５”、映像信号ｆ０”の順で入力映像信号ｆ０の１／２フレーム期間毎に交互に出力することで、フレーム周波数を２倍に周波数変換した信号を生成し、液晶パネルへ出力する。
【００５１】
次に、本実施の形態の画像表示装置３０の動作について、図８のタイミングチャート等を併せ参照して説明する。フレームメモリ１１は、図８（Ａ）にフレーム単位で模式的に示す入力映像信号ｆ０を格納した後、同図（Ｂ）に模式的に示す１フレーム期間遅延した遅延映像信号ｆ１を出力し、動きベクトル検出部１２と内挿映像信号生成部１３とにそれぞれ供給する。なお、図８において、模式的に示すフレーム内の数字はフレーム番号を示す。
【００５２】
動きベクトル検出部１２は、入力映像信号ｆ０と遅延映像信号ｆ１とから、例えば公知のマッチング法などを用いてフレーム間の動きベクトルＶを検出し、その動きベクトルＶを内挿映像信号生成部１３に供給する。内挿映像信号生成部１３は、前述したように、動きベクトルＶを参照して動き補償補間を行って、入力映像信号ｆ０と遅延映像信号ｆ１とから、図８（Ｃ）に模式的に示す内挿映像信号ｆ０.５を生成して出力する。
【００５３】
一方、ゲイン算出部３１は、図１のゲイン算出部１５１と同様に、液晶パネルの各分割領域に供給される映像信号ｆ０の１フレーム期間内の最大階調をＧmax1とし、映像信号ｆ０のビット数で定まる最大階調をＧmax0とすると、それらの比Ｇmax0／Ｇmax1を各分割領域に供給される映像信号に乗じるゲインＧＶ１として算出する。上記のゲインの逆数Ｇmax1／Ｇmax0は、図示しないバックライト輝度制御部において、バックライトの輝度を制御する際に用いられる。
【００５４】
乗算器３２は、入力映像信号ｆ０とゲイン算出部３１で算出されたゲインＧＶ１とを、上記の各分割領域のそれぞれで乗算してエリアコントロール処理された映像信号ｆ０’を生成して、オーバードライブ部３５へ供給する。図８（Ｄ）は、このエリアコントロール処理された映像信号ｆ０’を模式的に示す。
【００５５】
また、乗算器３３は、内挿映像信号ｆ０.５とゲイン算出部３１で算出されたゲインＧＶ１とを、上記の各分割領域のそれぞれで乗算してエリアコントロール処理された内挿映像信号ｆ０.５’を生成して、オーバードライブ部３５及び３６へそれぞれ供給する。図８（Ｅ）は、このエリアコントロール処理された内挿映像信号ｆ０.５’を模式的に示す。
【００５６】
更に、乗算器３４は、遅延映像信号ｆ１とゲイン算出部３１で算出されたゲインＧＶ１とを、各分割領域のそれぞれで乗算してエリアコントロール処理された遅延映像信号ｆ１’を生成して、オーバードライブ部３６へ供給する。図８（Ｆ）は、このエリアコントロール処理された遅延映像信号ｆ１’を模式的に示す。なお、第１の実施の形態と同様に、図８（Ｄ），（Ｅ），（Ｆ）中、例えばフレーム番号「０.５ａｃ」は、エリアコントロール処理された映像信号であることを示す。  オーバードライブ部３５は、エリアコントロール処理された映像信号ｆ０’とエリアコントロール処理された内挿映像信号ｆ０.５’とを入力として受け、エリアコントロール処理された映像信号ｆ０’の時間軸方向の高域成分を、エリアコントロール処理された内挿映像信号ｆ０.５’を用いて強調した（オーバードライブ処理した）映像信号ｆ０”を生成する。図８（Ｇ）は、このオーバードライブ処理された映像信号ｆ０”を模式的に示したものである。  また、オーバードライブ部３６は、エリアコントロール処理された遅延映像信号ｆ１’とエリアコントロール処理された内挿映像信号ｆ０.５’とを入力として受け、エリアコントロール処理された内挿映像信号ｆ０.５’の時間軸方向の高域成分を、遅延映像信号ｆ１’を用いて強調した（オーバードライブ処理した）内挿映像信号ｆ０.５”を生成する。図８（Ｈ）は、このオーバードライブ処理された内挿映像信号ｆ０.５”を模式的に示したものである。
【００５７】
フレーム周波数変換部３７は、オーバードライブ処理された上記の映像信号ｆ０”と内挿映像信号ｆ０.５”とをそれぞれ書き込んだ後、書き込み周波数の２倍の周波数で、ｆ０.５”、 ｆ０”の順で交互に読み出す。これにより、フレーム周波数変換部３７は、図８（Ｉ）に模式的に示すように、信号ｆ０.５”と信号ｆ０”とが、１／２フレーム期間毎に交互に０.５”、ｆ０”の順で時系列的に合成された、入力映像信号ｆ０の２倍のフレーム周波数（１／２倍のフレーム周期）の映像信号が出力されることになる。フレーム周波数変換による効果は、図４と共に前述した通りである。なお、第１の実施の形態と同様に、図８（Ｇ），（Ｈ），（Ｉ）中、例えばフレーム番号「０.５ａｃ_ｏｄ」は、エリアコントロール処理された映像信号であることを示す。
【００５８】
次に、本実施の形態の画像表示装置３０の各部の効果について図９と共に説明する。図９（Ａ）は、黒画像のフレームから白画像のフレームに変化する映像信号が入力されたときの、内挿映像信号生成部１３の出力映像信号の電圧の変化と、その映像信号の電圧の変化に対応した液晶表示素子の応答特性（透過率対時間特性）を示す。内挿映像信号生成部１３から出力される内挿映像信号ｆ０.５の電圧が図９（Ａ）にVIIで示すようにステップ状に上昇しても、この内挿映像信号ｆ０.５が入力された場合の液晶表示素子の応答特性はVIIIに示すように、なだらかに上昇する。
【００５９】
図９（Ｂ）は、図９（Ａ）にVIIで示したステップ状に上昇する映像信号が入力されたときの、乗算器３３の出力内挿映像信号ｆ０.５’の電圧の変化と、その内挿映像信号ｆ０.５’の電圧の変化に対応した液晶表示素子の応答特性（透過率対時間特性）を示す。乗算器３３から出力される内挿映像信号ｆ０.５’の電圧は図９（Ｂ）にIXで示すように、その入力映像信号と同様にステップ状に上昇するが、前述したエリアコントロール処理により映像信号にはゲインが乗算されているため、黒画像のフレームの映像信号の電圧部分が持ち上げられているため、ステップ的な電圧変化レベルが内挿映像信号ｆ０.５のそれよりも小さくなる。
【００６０】
このため、この内挿映像信号ｆ０.５’が入力された場合の液晶表示素子の応答特性は、図９（Ｂ）にXで示すように、前述した応答特性VIIIに比べて更になだらかになる。また、黒画像のフレームの映像信号の電圧が持ち上げられるのに対応して、バックライトの輝度を下げるバックライト装置の制御が行われるので、画像表示装置の消費電力の低減と画像のコントラストの上昇とが実現される。
【００６１】
図９（Ｃ）に示す特性XIは、同図（Ｂ）にIXで示した特性の内挿映像信号ｆ０.５’を用いてオーバードライブ部３５において生成した、映像信号ｆ０’の時間軸方向の高域成分を強調した映像信号ｆ０”の電圧の変化を示す。図９（Ｃ）にXIで示すように、映像信号ｆ０”の電圧の変化は、映像信号ｆ０’のステップ状に上昇する部分（高域成分）が、オーバードライブ部３５の時間軸方向の強調処理によって、映像信号ｆ０’よりも大きく急峻に立ち上がった後、所定時間、入力映像信号ｆ０’よりも大レベルを保持する変化部分を有する。
【００６２】
これにより、このオーバードライブ部３５から出力された映像信号ｆ０”が入力された場合の液晶表示素子の応答特性は図９（Ｃ）にXIIで示すように、オーバードライブ部３５による時間軸方向の強調処理を行わないときの応答特性X(これは、図９（Ｂ）の応答特性Xと同じ)よりも高速化される。この結果、液晶表示素子の表示画像に残像の発生を抑制することができる。
【００６３】
また、本実施の形態の画像表示装置３０は、オーバードライブ部３５及び３６が、フレーム周波数変換前の低い周波数帯域の映像信号ｆ０’及びｆ０.５’に対してオーバードライブ処理を行うために、フレーム周波数変換後にオーバードライブ処理を行う第１の実施の形態の画像表示装置１０に比べてオーバードライブの負担を軽減することができ、また、オーバードライブ処理のため少なくとも２フレーム間の比較を行うために用いるフレーム画像を読み書きするメモリとのアクセス速度を減少させることができる。
【００６４】
また、本実施の形態の画像表示装置３０は、フレームメモリの個数がフレームメモリ１１の１個のみであるので、画像表示装置１０に比べて回路規模を小さくすることができる（３個の乗算器の回路規模に比べて、１個のフレームメモリの回路規模の方がかなり大である。）。更に、本実施の形態の画像表示装置３０では、画像表示装置１０と同様に、オーバードライブ処理する前に、エリアコントロール処理を行うようにしているため、エリアコントロール処理後にオーバードライブ処理した場合に発生する強調過剰や強調不足を抑制することができ、その結果、表示画像に擬似輪郭や強調不足によるぼやけの発生を抑制し、動画特性とコントラストを改善した動画像を得ることができる。
【００６５】
なお、第２の実施の形態においても、入力映像信号ｆ０に対して内挿映像信号ｆ０．５を１つ生成し、入力映像信号ｆ０のフレーム周波数を２倍に変換して表示する構成を説明したがこれに限定されるものではない。すなわち、入力映像信号ｆ０のフレーム周波数をｍ倍に変換するため、入力映像信号ｆ０に対して内挿映像信号を（ｍ−１）個生成する内挿映像信号１３を有し、乗算器３２〜３４の個数及びオーバードライブ回路３５，３６の個数をそれぞれｍ個とする構成等に、適宜変更可能である。
【符号の説明】
【００６６】
１０、３０  画像表示装置
１１、１６  フレームメモリ
１２  動きベクトル検出部
１３  内挿映像信号生成部
１４、３７  フレーム周波数変換部
１５、３８  エリアコントロール部
１７、３５、３６  オーバードライブ部
２０  バックライト装置
２１  筐体
２２  光源
２３  区画壁
３１、１５１  ゲイン算出部
３２〜３４、１５２  乗算器
【図１】
2010197548.tif 000003
【図２】
2010197548.tif 000004
【図３】
2010197548.tif 000005
【図４】
2010197548.tif 000006
【図５】
2010197548.tif 000007
【図６】
2010197548.tif 000008
【図７】
2010197548.tif 000009
【図８】
2010197548.tif 000010
【図９】
2010197548.tif 000011